(57)【要約】【課題】  ブレードにおいてトナーのすり抜けが発生するのを確実に防止してクリーニング不良の発生及びこれによる不良画像の発生を防止することが可能な構成を備えたクリーニング装置を提供する。【解決手段】  像担持体２００の表面に接触可能なクリーニングブレード１００を備え、該像担持体２００に付着した転写残トナーを除去するクリーニング装置において、前記クリーニングブレード１００は、前記像担持体２００に接触する接触面１００Ａ２を備えていることを特徴とする。【選択図】  図２
2006337588.tif 000002
【特許請求の範囲】
【請求項１】
像担持体表面に接触可能なクリーニングブレードを備え、該像担持体に付着した転写残トナーを除去するクリーニング装置において、
前記クリーニングブレードは、前記像担持体に接触する接触面を備えていることを特徴とするクリーニング装置。
【請求項２】
請求項１記載のクリーニング装置において、
前記クリーニングブレードの接触面は、厚さ方向で前記感光体の移動方向下流側の端部が前記感光体表面に当接する圧力に比べて、前記感光体の移動方向上流側の端部が感光体表面に当接する圧力の方が強くなる関係とされていることを特徴とするクリーニング装置。
【請求項３】
請求項１または２記載のクリーニング装置において、
前記クリーニングブレードは、前記接触面とこれに連続して感光体に対向する面とのなす角度をαとし、前記感光体表面に対して前記接触面を当接させる時のクリーニングブレードの傾き角をθとした時、
θ≧１８０−α
の関係が設定されていることを特徴とするクリーニング装置。
【請求項４】
請求項１乃至３のうちの一つに記載のクリーニング装置において、
前記クリーニングブレードが前記感光体表面に対して前記接触面における感光体移動方向上流側の端部が下流側の端部よりも先に接触可能な方向に揺動する構成であることを特徴とするクリーニング装置。
【請求項５】
請求項１乃至３のうちの一つに記載のクリーニング装置において、
前記クリーニングブレードの接触面が前記感光体表面に向けて押圧付勢される構成を備えていることを特徴とするクリーニング装置。
【請求項６】
請求項１乃至３のうちの一つに記載のクリーニング装置において、
前記クリーニングブレードの接触面は、前記感光体の移動方向上流側の端部が鋭角断面をなしていることを特徴とするクリーニング装置。
【請求項７】
請求項１乃至３のうちの一つに記載のクリーニング装置において、
前記クリーニングブレードの接触面は、前記感光体の移動方向上流側の端部が該接触面とのなす角を鈍角とされていることを特徴とするクリーニング装置。
【請求項８】
請求項１乃至３のうちの一つに記載のクリーニング装置において、
前記クリーニングブレードの接触面は、前記感光体表面の形態に対応した表面状態とされていることを特徴とするクリーニング装置。
【請求項９】
請求項８記載のクリーニング装置において、
前記クリーニングブレードの接触面が、前記感光体表面の曲率半径に対応した曲面とされていることを特徴とするクリーニング装置。
【請求項１０】
請求項８記載のクリーニング装置において、
前記クリーニングブレードの接触面が、粗面とされていることを特徴とするクリーニング装置。
【請求項１１】
請求項８記載のクリーニング装置において、
前記クリーニングブレードの接触面は、微細凹凸を形成されていることを特徴とするクリーニング装置。
【請求項１２】
請求項１１記載のクリーニング装置において、
前記微細凹凸は、深さが、現像剤として用いられるトナーの体積平均粒径の、１／２以上であることを特徴とするクリーニング装置。
【請求項１３】
請求項１１記載のクリーニング装置において、
前記微細凹凸は、微細穴で構成されていることを特徴とするクリーニング装置。
【請求項１４】
請求項１３記載のクリーニング装置において、
前記微細穴は、深さが、現像剤として用いられるトナーの体積平均粒径の、１／２以上であることを特徴とするクリーニング装置。
【請求項１５】
請求項１３記載のクリーニング装置において、
前記微細穴は、開口径が、現像剤として用いられるトナーの体積平均粒径の、１／２以上であることを特徴とするクリーニング装置。
【請求項１６】
請求項１１記載のクリーニング装置において、
前記微細凹凸がブレードの幅方向に延長された線状溝であることを特徴とするクリーニング装置。
【請求項１７】
請求項１６記載のクリーニング装置において、
前記線状溝は、ブレードの幅方向で傾斜させてあることを特徴とするクリーニング装置。
【請求項１８】
請求項１６または１７記載のクリーニング装置において、
前記線状溝は、深さが、現像剤として用いられるトナーの体積平均粒径の、１／２以上であることを特徴とするクリーニング装置。
【請求項１９】
請求項１６乃至１８のうちの一つに記載のクリーニング装置において、
前記線状溝は、開口幅が、現像剤として用いられるトナーの体積平均粒径の、１／２以上であることを特徴とするクリーニング装置。
【請求項２０】
請求項１乃至１９のうちの一つに記載のクリーニング装置を用いることを特徴とする画像形成装置。
【請求項２１】
請求項２０記載の画像形成装置において、
前記感光体表面は、水の接触角が９０°以上に設定されていることを特徴とする画像形成装置。
【請求項２２】
請求項２０または２１記載の画像形成装置において、
前記感光体表面に対する前記クリーニングブレードの当接圧力変更手段が設けられていることを特徴とする画像形成装置。
【請求項２３】
請求項２２記載の画像形成装置において、
前記当接圧力変更手段は、前記感光体表面に対して前記クリーニングブレードの接触面を当接させる際のクリーニングブレードの傾き角を変更する構成が用いられることを特徴とする画像形成装置。
【請求項２４】
請求項２０乃至２３のうちの一つに記載の画像形成装置において、
前記現像剤として用いられるトナーは球形トナーが用いられることを特徴とする画像形成装置。
【発明の詳細な説明】
【技術分野】
【０００１】
本発明は、クリーニング装置および画像形成装置に関し、さらに詳しくは、像担持体上に付着した残トナーを除去するクリーニング装置およびこのクリーニング装置を備える画像形成装置に関する。
【背景技術】
【０００２】
プリンタや複写機あるいはファクシミリ装置などの電子写真プロセスを用いる画像形成装置においては、像担持体をなす感光体に対して帯電工程、画像書き込み工程が実行されることにより感光体上に静電潜像が形成され、その静電潜像が現像工程においてトナーを用いて可視像処理される。  
トナーにより可視像処理されたトナー像は転写紙などの記録媒体に対して転写工程により静電転写され、転写されたトナーが定着工程において定着されて複写物とされる。
【０００３】
転写行程後の感光体表面には、未転写トナー、いわゆる転写残トナーが付着しており、この転写残トナーはクリーニング行程において除去されるようになっている。  
従来、クリーニング行程には、感光体表面に対してブレード先端のエッジ部を感光体表面に押し当てて感光体表面に付着している転写残トナーを掻き取るようにした構成が多用されている。
【０００４】
クリーニングブレードは、感光体表面に対して押圧されることにより先端のエッジ部が感光体表面に圧接し、これによって、エッジによる転写残トナーの掻き取り作用を得るようになっている。  
しかし、カウンタ方式、つまり感光体表面における任意の位置が移動してくる移動方向上流側に対向してブレード先端を配置する方式とした場合、押圧力と感光体表面との摩擦係数などが影響して引きずりによるエッジ部のめくれ現象等の発生によって接触状態が悪化することがある。
【０００５】
特に感光体として、有機光導電性感光層を有した感光体を用いるような場合には、表面に形成された静電潜像を可視像化するために用いられるトナーとの間の接触エネルギーが大きいことが原因してブレード先端が反転しやすくなることが知られている（例えば、特許文献１）
そこで、従来では、感光体表面との間の摩擦係数を低減するためにエッジ部を含むブレード端面に潤滑剤を保持させるようにした構成（例えば、特許文献２）、あるいはブレードのエッジ部をなす２つの面をなす角度を規定してエッジ部での変形量を抑えるようにした構成（例えば、特許文献３）が提案されている。
【０００６】
【特許文献１】特開２００３−４３８９６号公報（段落「０００５」欄）
【特許文献２】特開平１０−１０９４１号公報（段落「００２８」欄）
【特許文献３】特開２００５−１０５７６号公報（段落「００３１」欄）
【発明の開示】
【発明が解決しようとする課題】
【０００７】
上記従来の構成においては、あくまでもブレード先端のエッジ部を感光体表面に当接させることが前提となっており、エッジ部をトナーがすり抜けた場合にはクリーニング不良が発生する虞がある。  
特に、近年では、画質向上のため、現像剤として用いられるトナーの小粒径化が望まれてきていることから、エッジ部での当接条件によってはエッジ部をすり抜ける可能性も高くなり、クリーニング不良が発生してしまう虞もある。
【０００８】
本発明は、上記従来のクリーニング装置における問題に鑑み、ブレードにおいてトナーのすり抜けが発生するのを確実に防止してクリーニング不良の発生及びこれによる不良画像の発生を防止することが可能な構成を備えたクリーニング装置および画像形成装置を提供することにある。
【課題を解決するための手段】
【０００９】
請求項１記載の発明は、像担持体表面に接触可能なクリーニングブレードを備え、該像担持体に付着した転写残トナーを除去するクリーニング装置において、前記クリーニングブレードは、前記像担持体に接触する接触面を備えていることを特徴としている。
【００１０】
請求項２記載の発明は、請求項１記載のクリーニング装置において、前記クリーニングブレードの接触面は、厚さ方向で前記感光体の移動方向下流側の端部が前記感光体表面に当接する圧力に比べて、前記感光体の移動方向上流側の端部が感光体表面に当接する圧力の方が強くなる関係とされていることを特徴としている。
【００１１】
請求項３記載の発明は、請求項１または２記載のクリーニング装置において、前記クリーニングブレードは、前記接触面とこれに連続して感光体に対向する面とのなす角度をαとし、前記感光体表面に対して前記接触面を当接させる際のクリーニングブレードの傾き角をθとした時、
θ≧１８０−α
の関係が設定されていることを特徴としている。
【００１２】
請求項４記載の発明は、請求項１乃至３のうちの一つに記載のクリーニング装置において、前記クリーニングブレードが前記感光体表面に対して前記接触面における感光体移動方向上流側の端部が下流側の端部よりも先に接触可能な方向に揺動する構成であることを特徴としている。
【００１３】
請求項５記載の発明は、請求項１乃至３のうちの一つに記載のクリーニング装置において、前記クリーニングブレードの接触面が前記感光体表面に向けて押圧付勢される構成を備えていることを特徴としている。
【００１４】
請求項６記載の発明は、請求項１乃至３のうちの一つに記載のクリーニング装置において、前記クリーニングブレードの接触面は、前記感光体の移動方向上流側の端部が鋭角断面をなしていることを特徴としている。
【００１５】
請求項７記載の発明は、請求項１乃至３のうちの一つに記載のクリーニング装置において、前記クリーニングブレードの接触面は、前記感光体の移動方向上流側の端部が該接触面とのなす角を鈍角とされていることを特徴としている。
【００１６】
請求項８記載の発明は、請求項１乃至３のうちの一つに記載のクリーニング装置において、前記クリーニングブレードの接触面は、前記感光体表面の形態に対応した表面状態とされていることを特徴としている。
【００１７】
請求項９記載の発明は、請求項８記載のクリーニング装置において、前記クリーニングブレードの接触面が、前記感光体表面の曲率半径に対応した曲面とされていることを特徴としている。
【００１８】
請求項１０記載の発明は、請求項８記載のクリーニング装置において、前記クリーニングブレードの接触面が粗面とされていることを特徴としている。
【００１９】
請求項１１記載の発明は、請求項８記載のクリーニング装置において、前記クリーニングブレードの接触面は、微細凹凸を形成されていることを特徴としている。
【００２０】
請求項１２記載の発明は、請求項１１記載のクリーニング装置において、前記微細凹凸は、深さが、現像剤として用いられるトナーの体積平均粒径の、１／２以上であることを特徴としている。
【００２１】
請求項１３記載の発明は、請求項１１記載のクリーニング装置において、前記微細凹凸は、微細穴で構成されていることを特徴としている。
【００２２】
請求項１４記載の発明は、請求項１３記載のクリーニング装置において、前記微細穴は、深さが、現像剤として用いられるトナーの体積平均粒径の、１／２以上であることを特徴としている。
【００２３】
請求項１５記載の発明は、請求項１３記載のクリーニング装置において、前記微細穴は、開口径が、現像剤として用いられるトナーの体積平均粒径の、１／２以上であることを特徴としている。
【００２４】
請求項１６記載の発明は、請求項１１記載のクリーニング装置において、前記微細凹凸がブレードの幅方向に延長された線状溝であることを特徴としている。
【００２５】
請求項１７記載の発明は、請求項１６記載のクリーニング装置において、前記線状溝は、ブレードの幅方向で傾斜させてあることを特徴としている。
【００２６】
請求項１８記載の発明は、請求項１６または１７記載のクリーニング装置において、前記線状溝は、深さが、現像剤として用いられるトナーの体積平均粒径の、１／２以上であることを特徴としている。
【００２７】
請求項１９記載の発明は、請求項１６乃至１８のうちの一つに記載のクリーニング装置において、前記線状溝は、開口幅が、現像剤として用いられるトナーの体積平均粒径の、１／２以上であることを特徴としている。
【００２８】
請求項２０記載の発明は、請求項１乃至１９のうちの一つに記載のクリーニング装置を画像形成装置に用いることを特徴としている。
【００２９】
請求項２１記載の発明は、請求項２０記載の画像形成装置において、前記感光体として、表面における水の接触角が９０°以上に設定されていることを特徴としている。
【００３０】
請求項２２記載の発明は、請求項２０または２１記載の画像形成装置において、前記感光体表面に対する前記クリーニングブレードの当接圧力変更手段が設けられていることを特徴としている。
【００３１】
請求項２３記載の発明は、請求項２２記載の画像形成装置において、前記当接圧力変更手段は、前記感光体表面に対して前記クリーニングブレードの接触面を当接させる際のクリーニングブレードの傾き角を変更する構成が用いられることを特徴としている。
【００３２】
請求項２４記載の発明は、請求項２０乃至２３のうちの一つに記載の画像形成装置において、前記現像剤として用いられるトナーは球形トナーが用いられることを特徴としている。
【発明の効果】
【００３３】
本発明によれば、クリーニングブレードと像担持体との接触面積を大きくすることにより、すり抜けたトナーをブレードにより捕捉できるので、クリーニング不良を防止することができる。また、接触面に対して粗面加工や微細凹凸を施すことにより面接触による摺擦抵抗の低減を図ることができる。
【発明を実施するための最良の形態】
【００３４】
以下、図示実施例により本発明を実施するための最良の形態について説明する。
【実施例】
【００３５】
本実施例によるクリーニング装置に用いられるクリーニングブレードは、以下の構成とされている。  
図１は、クリーニングブレードの一例を示しており、同図においてクリーニングブレード１００は、片持ち梁状に支持される支持体１０１にブレード本体１００Ａが固定されている。  
ブレード本体１０１Ａは、図示しない像担持体として用いられる感光体表面と対向する対向面１００Ａ１と、感光体に対してカウンタ接触する側の端面で構成されて感光体表面に接触する接触面１００Ａ２と、接触面をはさんで対向面１００Ａ１と反対側に位置する背面１００Ａ３とを備え、対向面１００Ａ１と背面１００Ａ３との間が感光体の移動方向に沿った厚さ、いわゆる、肉厚に相当している。
【００３６】
本実施例におけるクリーニングブレード１００のブレード本体１００Ａの材料には、弾性を有するものであればよく、天然ゴム、ポリウレタンゴム等が用いられる。これら材料を用いたブレード本体１００Ａの硬度は、ゴム硬度において６０〜８０度（ＪＩＳ  Ｋ６３０１Ａ）が選択される。つまり、６０度以下であると、しなりが大きくなりやすく、接触面１００Ａ２の先端、つまりエッジ部分が浮き上がってトナーがブレード本体の下方に潜り込みを起こしてクリーニング不良に陥りやすい。また、８０度以上であると、接触状態は良好となるものの、押圧力によっては接触抵抗の増加による摩耗発生や感光体の駆動負荷の増加を招いたり、回収されたトナーが感光体表面に押し付けられてフィルミングを引き起こす虞がある。  
また、ブレード本体１００Ａの３００％モジュラスとしては、１０〜２５０Ｋｇ／ｃｍ２であることが望ましい。さらに、ブレード本体１００Ａの伸び率としては、押圧力の設定による摩擦熱あるいは使用環境での雰囲気温度などの要因にもよるが、３００〜５００％であることが好ましい。また、ブレード本体１００Ａの反発弾性率としては、２３℃において１０〜７０％であることが好ましい。
【００３７】
図１において、支持体１０１は、ブレード本体１００Ａを挟み込むことができるコの字型（図１（Ａ）、（Ｂ）参照）、あるいは、Ｌ字型さらには、図示しないが、単に長方形にカットした板状のものでブレード本体１００Ａを挟み込む構造などが用いられる。  
支持体１０１には、取り付け穴１０１Ａ、位置決め穴１０１Ｂが設けられており、クリーニング装置を構成するユニット（図示されず）の取り付け位置にネジ止めなどによって一体化されて片持ち梁状に支持され、自由端側にブレード本体１００Ａを位置させている。支持体１０１は、鉄板やアルミニウムあるいはステンレス等の金属または金属合金が使用され、厚みは材質によって異なるものの、重量増加さほど影響を及ぼさない約２〜５ｍｍ程度の肉厚のものが用いられる。
【００３８】
ブレード本体１００Ａは、その構成が図２以降に示されている。  
図２において本実施例におけるブレード本体１００Ａは、感光体２００の移動方向に沿った厚さ方向において感光体の移動方向（図示矢印方向）の上流側から下流側に至る各端部間の面が感光体２００の表面に接触する接触面１００Ａ２とされている。  
つまり、感光体２００の移動方向上流側の端部のみが感光体２００に接触する線接触ではなく、面接触部分を構成されている。これにより、線接触と違って、感光体２００の移動方向上流側の端部が引き摺られることがなく、接触面積を大きくすることで転写残トナーの捕捉が確実化できる。しかも、移動方向上流側の端部が引きずられないので、その端部が反り返る現象であるめくれの発生が確実に阻止されてトナーのすり抜けを抑止することもできる。
【００３９】
本実施例においては、接触面１００Ａ２の全面を感光体２００の表面に接触させるための条件が設定されており、その条件は次の通りである。  
ブレード本体１００Ａは、接触面１００Ａ２とこれに連続して感光体２００の表面に対向する対向面１００Ａ１とのなす角度をαとし、接触面１００Ａ２が感光体２００の表面に当接される時のブレード本体１００Ａの傾き角をθとした場合、
θ≧１８０−α
の関係が設定されている。  
この場合の当接される時とは、当接される前の段階および当接された段階のそれぞれを含んでおり、当接させた時の関係としては、図２に示すように、θ＝１８０−αの関係とされ、当接させる前での関係は、図３に示すように、傾き角（便宜上、図２と違う状態であるので符号θ’で示す）がθ’＞１８０−αの関係とされて、いわゆる、接触面の先端側が前のめりとなる状態となっている。
【００４０】
このような傾き角θの設定により、感光体２００の移動方向上流側に位置する端部（便宜上、図２において符号１００Ａ４で示す）が感光体２００の表面から浮き上がることがなく、換言すれば、上記角度以外の角度が存在しないことになるので、接触面１００Ａ２が感光体２００の表面に対して面接触される。  
この結果、ブレード本体１００Ａにおける感光体２００の移動方向上流側の端部１００Ａ４が浮き上がることがないので、トナーのすり抜けによるクリーニング不良を確実に防止することができることになる。
【００４１】
また、感光体２００の表面に当接させる前の段階での傾き角（図３において符号θ’で示す角度）の設定により、接触面１００Ａ２の先端側に位置する端部１００Ａ４が後端側に位置する端部１００Ａ５よりも先に感光体２００の表面に当接し、このまま後端側の端部１００Ａ５が感光体２００の表面に接触する時には先端側の端部１００Ａ４が感光体２００の表面に食い込み傾向となって圧接することとなる。
【００４２】
本実施例では、ブレード本体１００Ａの接触面１００Ａ２が感光体２００に当接する前の傾き角θ’の設定を利用して、接触面１００Ａ２において厚さ方向で感光体２００の移動方向下流側の端部（便宜上、図２において符号１００Ａ５で示す）が感光体２００表面に当接する圧力（図２中、符号Ｐ１で示す圧力）に比べて感光体２００の移動方向上流側の端部が感光体２００の表面に当接する圧力（図２中、符号Ｐ２で示す圧力）の方が強く（Ｐ１＜Ｐ２）なる。  
このような関係とすることにより、感光体２００の移動方向下流側の端部１００Ａ５が感光体２００の表面に接触した場合に感光体２００の移動方向上流側の端部１００Ａ４は感光体表面に食い込み傾向となる。これにより、接触面１００Ａ２が確実に感光体表面に接触し、特に感光体２００の移動方向上流側の端部１００Ａ４が感光体２００の表面に対して下流側よりも高い圧力で接触することにより感光体２００の表面に対して密着状態を維持することになり、トナーのすり抜けがほとんど起こらない状態とすることができる。
【００４３】
上述した接触面１００Ａ２の各端部での圧力関係は、ブレード本体１００Ａの感光体２００に対する当接前での傾き角の設定だけでなく、ブレード本体１００Ａの支持構造においても得ることができる。  
図１（Ｂ）においては、コの字型の支持体１０１の片部のうちで、ブレード本体１００Ａの背面１００Ａ３側に位置する片部（便宜上、図１（Ｂ）において符号１０１Ｃで示す）が対向面１００Ａ１側の片部（便宜上、図１（Ｂ）において符号１０１Ｄで示す）よりも長くされて背面１００Ａ３における接触面１００Ａ２における感光体２００の移動方向上流側の端部を押さえ付けることができる構成とされている。
【００４４】
さらに、このような圧力関係は、後述するが、片持ち梁状の支持体１０１を揺動可能な構成とした場合に、ブレード本体１００Ａが感光体２００に対して接離する方向を揺動方向として、接触面１００Ａにおける感光体２００の移動方向上流側の端部（図２において符号１００Ａ４で示した端部）に至る揺動半径を感光体２００の移動方向下流側の端部（図２において符号１００Ａ５で示した端部）に至る揺動半径よりも大きくし、そして揺動中心を接触面よりも上位とすることで、上流側の端部１００Ａ４が下流側の端部１００Ａ５よりも先に感光体２００の表面に接触し、この状態から下流側の端部１００Ａ５が感光体２００の方面に接触し始めるのに従って、先に接触している上流側の端部１００Ａ４を感光体２００の表面に食い込み傾向とすることで設定できる。
【００４５】
また、揺動支持ではなく、感光体２００に対してその表面と直角な方向に往復動することで接触面１００Ａ２が接離可能な構成とした場合には、当接される前の傾き角を上述した角度（θ’）を用いた関係を保った状態で押圧付勢することにより感光体２００の移動方向上流側の端部１００Ａ４が下流側の端部１００Ａ５よりも先に感光体２００の表面に接触するようにすることで上述した圧力関係を設定することができる。
【００４６】
接触面１００Ａ２を有するブレード本体１００Ａは、図２および図３に示すように、感光体２００の移動方向上流側の端面形状として、接触面１００Ａ２と背面１００Ａ３とのなす角度が鋭角とされて断面三角形状あるいは、図４に示すように、矩形断面の肩部を斜めに断ち切った形状とされている。  
このような端面形状においては、三角形状の場合には、感光体２００の表面に付着している転写残トナーの掬い上げが容易となり、また矩形断面の肩部を斜めに断ち切った形状の場合には、カウンタ方向に対向する端面に作用する衝突力に対して耐久性を持たせて、いわゆる、ラッセル車のような掻き取り作用を得ることができる。
【００４７】
一方、接触面１００Ａ２は、感光体２００の表面形態に対応した表面状態とされている。以下、これについて説明する。  
図５は、接触面１００Ａ２が感光体２００の曲率半径Ｒに対応した曲面とされている。これにより、感光体２００の表面との密着性が確保できることになり、接触面全域に亘っての接触が容易となり、接触面積の拡大によるトナーの捕捉領域を確保することができる。
【００４８】
図６は、接触面１００Ａ２が粗面加工を施された状態を示している。これにより、接触面１００Ａ２が面接触することによる摺擦抵抗を軽減することができる。しかも、粗面加工された接触面１００Ａ２には、感光体２００の移動方向上流側の端部から転写残トナーがすり抜けた場合でもそのトナーの捕捉空間が存在していることになるので、接触面１００Ａ２からの転写残トナーのすり抜けを抑止してクリーニング不良が発生するのを防止することができる。  
特に現像剤として用いられるトナーが小粒径の球形トナーである場合には、小径の球形であることにより転動しやすく、感光体２００の移動方向上流側の端部を通過した場合でも粗面化による捕捉空間内に入り込むことですり抜けが防止される。
【００４９】
接触面での摺擦抵抗を低減することができる接触面１００Ａ２の表面形態としては、粗面化の他の例として、図７に示すような微細凹凸１００Ａ２０とすることも可能である。この場合には、微細凹凸１００Ａ２０が深さＴとして、トナーの体積平均粒径の１／２以上とする。深さが１／２未満であると、捕捉されたトナーが接触面１００Ａ２の表面から突出することがあり、これにより接触面１００Ａ２が浮き上がり、これによりトナーのすり抜けが発生する。また、微細凹凸１００Ａ２０における凸部間の間隔Ｌは、トナーの体積平均粒径以上若しくは、少なくとも体積平均粒径と同じとすることにより接触面での摺擦抵抗の低減とすり抜けたトナーの捕捉が確実に行える。
【００５０】
接触面１００Ａ２における微細凹凸１００Ａ２０の深さＴおよび間隔Ｌを、上述した範囲とすることにより、小粒径化、球形化されたトナーを用いた場合でも、転写残トナーを微細凹凸１００Ａ２０内に確実に捕捉され、転写残トナーの転動を止めることができ、転動することですり抜けようとするトナーを確実に除去することが可能となる。このため、クリーニングブレード１００によるクリーニング性を向上させることが可能となる。  
さらに、微細凹凸１００Ａ２０内に取り込まれたトナーの作用により、接触面１００Ａ２における感光体２００との間の摩擦力を低減することも可能となる。
【００５１】
接触面１００Ａ２の粗面化の他の例としては、図８に示すように、微細穴１００Ａ２１を多数設けた構成がある。  
図８において、前記微細穴１００Ａ２１の形状としては、特に制限はなく、例えば、断面形状において、凹形状、Ｖ字形状、半円形状などが挙げられる。いずれの形状とする場合においても、初期の目的である転写残トナーの捕捉が確実に行える条件、つまり捕捉できる深さや開口サイズを具備していることが重要である。また、開口形状において、四角形状、円形状などが挙げられる。
【００５２】
図９は、図８における符号（９）で示す方向の断面図であり、同図に示すように、接触面１００Ａ２における微細穴１００Ａ２１は、開口形状が円形であり、断面形状が半円形状とされている。  
微細穴１００Ａ２１の深さＤとしては、特に制限はなく、目的に応じて適宜選択することができるが、微細穴１００Ａ２１の深さＤがトナーの体積平均粒径の１／２以上であることが好ましい。微細穴１００Ａ２１の深さＤが、トナーの体積平均粒径の１／２未満であると、微細穴１００Ａ２１に取り込まれて捕捉されたトナーが接触面１００Ａ２の表面から突出し、接触面１００Ａ２が感光体２００の表面から浮き上がりやすくなり感光体表面との間の密着性が阻害されて異物の除去性能が悪化することがある。  
微細穴１００Ａ２１の開口径Ｈとしては、特に制限はなく、目的に応じて適宜選択することができるが、開口径Ｈは、前記トナーの体積平均粒径以上とすることが好ましく、前記トナーの体積平均粒径と略同一とすることがより好ましい。
【００５３】
微細穴１００Ａ２１の深さＤおよび開口径Ｈを、このような範囲とすることにより、小粒径化、球形化されたトナーであっても、転写残トナーを微細穴１００Ａ２１内に確実に捕捉して保持することにより転写残トナーの転動によるすり抜けを防止して感光体表面に残留する転写残トナーを確実に掬い取るあるいは掻き取ることが可能となる。このため、クリーニングブレード１００によるクリーニング性を向上させることが可能となる。  
さらに、微細穴１００Ａ２１内に取り込まれたトナーの作用により、ブレード本体１００Ａの接触面１００Ａ２と感光体２００との間の摩擦力を低減することが可能となる。
【００５４】
図１０は、接触面１００Ａ２における粗面化のさらに別例を示しており、同図において接触面１００Ａ２には、感光体２００の移動方向と平行でかつクリーニングブレード１００の幅方向に沿った複数の線状溝１００Ａ２２が設けられている。
【００５５】
図１１は、図１０における符号（１１）で示す方向の断面図であり、同図において線状溝１００Ａ２２の深さＤＥとしては、特に制限はなく、目的に応じて適宜選択することができるが、トナーの体積平均粒径の１／２以上であることが好ましい。  
線条溝１００Ａ２２Ｅの深さＤＥが、トナーの体積平均粒径の１／２未満であると、線条溝１００Ａ２２に取り込まれたトナーが接触面１００Ａ２の表面から突出し、接触面１００Ａ２が感光体２００の表面から離れて浮き上がってしまい、転写残トナーを確実に除去することができなくなることがある。
【００５６】
線条溝１００Ａ２２の開口幅ＬＥとしては、特に制限はなく、目的に応じて適宜選択することができるが、前記トナーの体積平均粒径以上とすることが好ましく、前記トナーの体積平均粒径と略同一とすることがより好ましい。
【００５７】
線条溝１００Ａ２２の深さＤＥおよび開口幅ＬＥを、このような範囲とすることにより、接触面での摺擦抵抗を低減できると共に、小粒径化、球形化されたトナーであっても、転写残トナーを線条溝１００Ａ２２内に捕捉して確実に保持することにより転写残トナーの転動によるすり抜けを止めて、感光体表面に残留する転写残トナーを確実に除去することが可能となる。これにより、クリーニングブレード１００によるクリーニング性を向上させることが可能となる。更に、線条溝１００Ａ２２内に取り込まれたトナーの作用により、接触面１００Ａ２と感光体２００の表面との間の摩擦力を低減することが可能となる。
【００５８】
線条溝１００Ａ２２の形状としては、特に制限はなく、目的に応じて適宜選択することができ、例えば、図１２（Ａ）〜（Ｄ）に示すように断面形状において、半円形状、Ｖ字形状、荒溝形状、凹形状などが挙げられる。
【００５９】
図１３は、線状溝１００Ａ２２の一部変形例を示す図であり、同図において線状溝（便宜上、符号１００Ａ２２’で示す）は、クリーニングブレード１００の幅方向で傾斜させてある（符号γで示す角度を持たせてある）。
【００６０】
前記傾斜角γの設定により、線状溝１００Ａ２２’に取り込まれたトナーは、溝内における取り込まれた位置を始発位置として、溝の傾きに沿って移動することができる。これにより線状溝１００Ａ２２内に捕捉されたトナーは、感光体２００の表面と接触した場合に発生する移動力あるいは感光体２００の回転による周囲の気流圧力を利用して線状溝１００Ａ２２内を移動してブレード外に排出されることになる。  
図１４は、トナーが排出される状態を矢印Ｗで示している。
【００６１】
このような線状溝の構成により、捕捉されたトナーの排出が容易となり、線状溝内に堆積した場合にそのトナーにより接触面１００Ａ２が浮き上がるのを防止することが可能となる。  
前記線条溝の形状としては、特に制限はなく、目的に応じて適宜選択することができ、例えば、図１２（Ａ）〜（Ｄ）に示した断面形状と同様な形状である、半円形状、Ｖ字形状、荒溝形状、凹形状などが挙げられる。
【００６２】
前記線条溝１００Ａ２２’の深さ及び開口幅としては、特に制限はなく、目的に応じて適宜選択することができ、例えば、図１０に示した接触面１００Ａ２における線条溝１００２２と同様とすることができる。
【００６３】
図１５は、図１０あるいは図１３に示した線状溝の変形例を示しており、同図において線状溝（便宜上、符号１００Ａ２２０で示す）は、ブレード本体１００Ａの幅方向の中心を境にして幅方向端部に向けて幅方向で傾斜させることにより正面視形状が逆Ｖ字状をなしている。このような線状溝１００Ａ２２０の構成により、線状溝１００Ａ２２０に捕捉されたトナーがブレード本体１００Ａの幅方向両側から排出されることになり、換言すれば、排出のための移動経路長が短くなるので、回収トナーの排出が容易となる。
【００６４】
線条溝１００Ａ２２０の形状としては、特に制限はなく、目的に応じて適宜選択することができ、例えば、図１２（Ａ）〜（Ｄ）に示した断面形状と同様な形状である、半円形状、Ｖ字形状、荒溝形状、凹形状などが挙げられる。さらに、線条溝１００Ａ２２０の深さおよび開口幅としては、特に制限はなく、目的に応じて適宜選択することができ、例えば、図１０に示した接触面１００Ａ２における線条溝１００Ａ２２と同様とすることができる。
【００６５】
次に、上述したクリーニングブレード１００のブレード本体１００Ａの製造に関して説明する。  
本実施例に用いられるクリーニングブレードの作製方法としては、特に制限はなく、目的に応じて適宜することができるが、例えば、図１６（Ａ）〜（Ｃ）に示すような切断刃３００による作製方法が挙げられる。
【００６６】
即ち、図１６（Ａ）に示すように、矩形板状の弾性体における肩部分の角に相当するエッジ部分を該弾性体の長手方向に沿って平板状の切断刃３００により切断することにより、該切断面に図２に示したような接触面１００Ａ２を形成することができる。
【００６７】
また、図１６（Ｂ）は、接触面１００Ａ２が、図６に示したような曲面である場合を示しており、この場合には、矩形板状の弾性体における肩部分の角が相当するエッジ部分を曲面状の切断刃３００Ａにより切断することにより、切断面に曲面形状の接触面１００Ａ２を形成することができる。
【００６８】
また、図１６（Ｃ）は、接触面１０Ａ２が、図１０に示したような線状溝１００Ａ２２により粗面化されている場合を示しており、同図において、矩形板状の弾性体における肩部分の角が相当するエッジ部分を、線条溝に対応した凹凸３００Ｂ１が表面に形成された切断刃３００Ｂにより切断することにより、該切断面、つまり接触面にクリーニングブレードの幅方向に沿う線条溝が形成されることになる。
【００６９】
クリーニングブレード１００におけるブレード本体１００Ａは、その接触面の形成方法として、前述したような裁断方式だけでなく、ブレード本体の成形によって得ることもできる。以下、これについて説明する。  
図１７は、ブレード本体１００Ａを成形するための金型を示しており、同図において成形金型４００は、複数のブロック材４００Ａ〜４００Ｅを用いてブレード本体１００Ａに相当する空間、いわゆるキャビティ４０１が構成されている。キャビティ４０１の一部には、接触面に相当する部分４０２が設けられており、図１７に示す接触面に相当する部分４０２の表面には線状溝に対応する表面処理が施されている。
【００７０】
キャビティ４０１に対してはブロック材４００Ａに貫通させて設けた射出口４００Ａ１から熱可塑性樹脂などを射出することにより樹脂が充填され、キャビティ４０１の空間形状に合わせた形状のブレード本体が成形される。キャビティ４０１における接触面に相当する部分４０２には、線状溝に代えて、微細穴や微細凹凸を設けることももちろん可能である。
【００７１】
図１８は、本実施例によるクリーニングブレード１００を用いたクリーニング装置が装備される画像形成装置を示しており、同図において画像形成装置５００は、ドラム状の感光体２００を備えており、感光体２００の周囲には、矢印Ｒ１で示す回転方向に沿って画像形成処理を行うための帯電装置５０１，書き込み装置５０２，現像装置５０３、記録媒体Ｐに対して画像を転写可能な転写装置５０４およびクリーニングブレード１００を備えたクリーニング装置５０５が配置されている。本実施例におけるクリーニング装置５０５には、ハウジング５０５Ａの内部に、図１（Ｃ）に示した形式で支持されているクリーニングブレード１００に加えて、感光体２００に接触しながら回転可能なクリーニングブラシ５０５Ｂが用いられている。
【００７２】
帯電装置５０１は、感光体２００に近接対向するローラで構成されており、感光体２００の表面を一様帯電するようになっている。
【００７３】
図１８に示す画像形成装置５００に用いられる感光体２００は、有機光導電性感光層を表面に備えた金属ローラであり、その表面での表面エネルギーとして表現できる水の接触角が９０°以上に設定されている。つまり、水の接触角が９０°未満であると、トナーとの間の付着力が大きくなり、小粒径化されて球形のトナーを用いた場合には感光体側に付着したままでクリーニング装置でのクリーニングブレードによる掻き取り率が悪化する原因となる。
【００７４】
前記接触角の測定としては、協和界面科学（株）社製自動接触角計ＣＡ−Ｗを用いて行うことが可能である。  
感光体２００の表面における水との接触角が９０°以上とする方法としては、特に制限はなく、目的に応じて適宜選択することができ、例えば、感光体表面における表面エネルギーを小さくする方法が挙げられる。  
前記感光体表面における表面エネルギーを小さくする方法としては、特に制限はなく、目的に応じて適宜選択することができるが、前記感光層としての光導電性の有機半導体（ＯＰＣ）材料に、表面エネルギーの小さい材料を添加する方法、表面エネルギーの小さい材料を前記感光層の厚み方向に濃度分布を持たせて存在させる方法、前記感光体表面に撥水性物質等を塗布する方法、などが好適に挙げられる。
【００７５】
前記表面エネルギーの小さい材料としては、特に制限はなく、目的に応じて適宜選択することができ、例えば、テトラフルオロエチレン、ヘキサフルオロプロピレン、トリフルオロエチレン、クロロトリフルオロエチレン、フッ化ビニリデン、フッ化ビニル、パーフルオロアルキルビニルエーテル、これらの中から選ばれる２種以上を含有する重合体、これらの中から選ばれる２種以上を含有する共重合体、ステアリン酸亜鉛、ステアリン酸アルミニウム、ステアリン酸鉄等の金属石鹸、ジメチルシリコーンオイル、メチルフェニルシリコーンオイル、メチルハイドロジェンポリシロキサン、環状ジメチルポリシロキサン、アルキル変性シリコーンオイル、ポリエーテル変性シリコーンオイル、アルコール変性シリコーンオイル、フッ素変性シリコーンオイル、アミノ変性シリコーンオイル、メルカプト変性シリコーンオイル、エポキシ変性シリコーンオイル、カルボキシル変性シリコーンオイル、高級脂肪酸変性シリコーンオイル等のシリコーンオイル、酸化チタン、シリカ、酸化アルミ、酸化ジルコニウム、酸化スズ、酸化アンチモンをドープした酸化スズ、酸化インジウム等の金属酸化物など、が挙げられる。
【００７６】
前記感光体表面に撥水性物質等を塗布する方法としては、例えば、撥水性物質等をアルコール等の適当な溶媒に希釈し、感光体最表面に塗布方法などが挙げられる。
【００７７】
前記感光体表面に撥水性物質等を塗布することにより、前記感光体表面が低表面エネルギー化され、前記接触角の条件を満たすことができる。  
前記撥水性物質としては、特に制限はなく、目的に応じて適宜選択することができ、例えば、ジメチルシリコーンオイル、メチルフェニルシリコーンオイル、メチルハイドロジェンポリシロキサン、環状ジメチルポリシロキサン、アルキル変性シリコーンオイル、ポリエーテル変性シリコーンオイル、アルコール変性シリコーンオイル、フッ素変性シリコーンオイル、アミノ変性シリコーンオイル、メルカプト変性シリコーンオイル、エポキシ変性シリコーンオイル、カルボキシル変性シリコーンオイル、高級脂肪酸変性シリコーンオイル等のシリコーンオイル、γ−（２−アミノエチル）アミノプロピルトリメトキシシラン、γ−（２−アミノエチル）アミノプロピルジメトキシシラン等のアミノ基含有シランカップリング剤、γ−メルカプトプロピルトリメトキシシラン、γ−メルカプトプロピルメチルジメトキシシラン等のメルカプト基を含有するシランカップリング剤、γ−グリシドキシプロピルトリメトキシシラン等のエポキシ基を含有するカップリング剤、フッ素含有シランカップシング剤等のシランカップリング剤、イソプロピルトリイソステアロイルチタネート、イソプロピルトリ（Ｎ−アミノエチル−アミノエチル）チタネート、イソプロピルトリ、（ジオクチルパイロホスファイト）チタネート、テトラオクチルビス（ジトリデシルホスファイト）チタネート、テトラオクチルビス（ジトリルデシルホスファイト）チタネート、テトラ（２，２−ジアリルオキシメチル−１−ブチル）ビス（ジトリデシル）ホスファイトチタネート、イソプロピルトリオクタノイトチタネート等のチタンカップリング剤、などが挙げられる。
【００７８】
本実施例における画像形成装置５００に用いられるトナーとしては、特に制限はなく、目的に応じて適宜選択することができるが、球形トナーが好適に挙げられる。  
前記球形トナーを用いることにより、クリーニング装置５０５がクリーニング効果を特に効果的に発揮する。  
球形トナーとしては、例えば、トナーの構成材料である樹脂や着色剤などを混合攪拌後に溶融混練し、粉砕・分級して作製した粉砕トナーを熱や機械的な力で球形化したトナー、分散重合法、懸濁重合法、乳化重合法等の重合法により作製されたトナーなどが挙げられ、これらの中でも、重合法により作製されたトナーが好適である。
【００７９】
前記球形トナーとしては、式（１）により表される形状係数が１．０〜１．５であることが好ましい。前記形状係数は、真球に近づくほど１に近づく。
形状係数＝{（粒子の周囲長）２／（粒子の投影面積）}×（１／４π）・・（１）
但し、前記粒子の周囲長は、トナー粒子の２次元投影像における周囲長を示す。  
前記形状係数が１．５を超えると、画像のドット形成が不均一となり、画像の粒状性が悪化することがある。
【００８０】
前記球形係数の測定方法としては、例えば、日立製作所製ＦＥ−ＳＥＭ（Ｓ−４５００）を用い、１０００倍に拡大したトナー像を１００個無作為にサンプリングし、その画像情報を、例えば、画像処理ソフト（Ｍｅｄｉａ  Ｃｙｂｅｒｎｅｔｉｃｓ製Ｉｍａｇｅ−Ｐｒｏ  Ｐｌｕｓ）を用いて解析をおこない算出することにより測定することが可能である。
【００８１】
前記球形のトナーの体積平均粒径としては、特に制限はなく、目的に応じて適宜選択することができるが、が１〜７μｍであることが好ましい。  
前記体積平均粒径がトナーの粒径１μｍ未満であると、画像不良が発生することがあり、７μｍを超えると、電子写真画像の高解像度の要求に対応するのが困難となることがある。  
前記体積平均粒径の測定方法としては、コールターエレクトリク社製コールターマルチサイザー測定により測定することが可能である。
【００８２】
更に、画像形成装置５００に用いられるトナーとしては、表面が外添剤によって被覆されているトナーが好適に挙げられる。  
前記トナーの表面を外添剤によって被覆することにより、トナーと感光体との間の付着力を低減してクリーニング装置１００によるクリーニング効果を高めることが可能となる。
【００８３】
前記外添剤の形状、粒径、外添剤被覆率、材料としては、特に制限はなく、目的に応じて適宜選択することができるが、前記外添剤の形状としては、他部材との接触面積が均一化される点から球形であることが好適である。また、前記外添剤の粒径としては、１次粒子径の平均値が５ｎｍ〜１５０ｎｍであることが好適である。また、前記外添剤の外添剤被覆率としては、１０〜９０％であることが好ましい。  
前記外添剤被覆率が１０％未満であると、トナーと感光体との間の付着力を適切な大きさにすることが困難となることがあり、転写残トナーの増加を引き起こすことがある。前記外添剤被覆率が９０％を超えると、外添剤がトナーから極端に分離し易くなり、感光体等の画像形成装置の構成部材が損傷し易くなることがある。
【００８４】
なお、外添剤被覆率は、トナー１粒子の表面積に対する外添剤の被覆面積比率を、トナー表面の電子顕微鏡画像を画像解析することによって計測することが可能である。
【００８５】
前記外添剤としては、特に制限はなく、目的に応じて適宜選択することができ、例えば、有機微粒子、無機微粒子などが挙げられる。  
前記無機微粒子としては、特に制限はなく、目的に応じて適宜選択することができるが、例えば、シリカ、チタン、アルミナ、これらの中から２種を併用したもの、などが好適に挙げられる。  
前記無機微粒子としては、例えば、吸湿性を有する無機微粒子である場合には、環境安定性等を考慮すると、疎水化処理を施したものが好ましい。
【００８６】
前記疎水化処理の方法としては、特に制限はなく、目的に応じて適宜選択することができ、例えば、疎水化処理剤と前記微粉末とを高温度下で反応させる方法などが挙げられる。
【００８７】
前記疎水化処理剤としては、特に制限はなく、目的に応じて適宜選択することができ、例えば、シラン系カップリング剤、シリコーンオイルなどが挙げられる。
【００８８】
前記外添剤の外添方法としては、特に制限はなく、目的に応じて適宜選択することができ、例えば、Ｖ型ブレンダー、ヘンシェルミキサー、メカノフージョン等の各種混合装置を用い方法が好適に挙げられる。
【００８９】
図１８に示した画像形成装置５００に装備されているクリーニング装置５０５は、その構成が図１９に示してある。  
図１９において、クリーニング装置５０５は、内部に装備されているクリーニングブレード１００の接触面１００Ａ２を感光体２００に当接させる際の傾きを変更できる構成を備えている。つまり、クリーニングブレード１００は、図１（Ａ）に示した形式の支持体１０１によって支持されており、支持体１０１は、当接角変更手段５０５０によって当接角を変更可能に支持されている。当接角変更手段５０５０は、片持ち梁状の支持体１０１の一面に対して上下方向で端部がピボット連結された一対の支軸５０５１，５０５２を備えており、支軸５０５１、５０５２は、軸受け部材５０５３によって摺動可能に支持されている。
【００９０】
支軸５０５１、５０５２の軸方向端部の他方は支軸５０５１、５０５２を軸方向に駆動するためのアクチュエータ（図示されず）に連結されており、軸方向の駆動量を調整することにより、支持体１０１の傾斜状態を変化させて感光体２００に対するクリーニングブレードの当接角θを変化させることができる。当接角θの変更は、感光体２００の表面状態の変化や転写残トナーの多少などに対応しており、特に、当接角θの変化により、ブレード本体１００Ａの接触面先端側の端部、つまり、感光体２００の移動方向上流側の端部の接触状態を下流側のそれよりも強くした状態を維持しながら、接触面全体での感光体２００に対する接触圧力を変更できるようになっている。また、支軸５０５Ａ１、５０５Ａ２の進退量を同じに設定すれば、支持体１０１が往復動することになり、この場合においてもクリーニングブレード１００における接触面１００Ａ２の接触圧力を変更することができる。
【００９１】
当接角θの変更は、接触面全体の接触圧の変更に限らず、図２，図３に関する説明において挙げたように、接触面１００Ａ２での感光体２００の移動方向上流側の端部での接触圧力と下流側の端部での接触圧力との関係を設定する場合にも有効であり、当接角θの変更に際してクリーニングブレードを揺動させる場合にはその端部間での揺動半径の違いを利用することができる。
【００９２】
また、図２０は、クリーニングブレード１００の揺動支持を行う構成の一つを示しており、この構成においては、ブレード本体１００Ａが感光体２００に対して接離することができるようになっている。このための構成として、クリーニング装置５０５には、クリーニングブレード１００が揺動端に取り付けられて揺動可能なブラケット５１０が装備されている。
【００９３】
ブラケット５１０は、支軸５１１を支点としてブレード本体１００Ａが感光体２００に対して接離できる方向に揺動可能な部材であり、ブレード本体１００Ａと反対側の揺動端に掛け止められたバネなどの弾性体５１２の付勢によりブレード本体１００Ａの接触面１００Ａ２を感光体２００の表面に全面接触させている。弾性体５１２の付勢に抗してブラケット５１０を揺動させると、ブレード本体１００Ａが接触面１００Ａ２を感光体２００から離すことができる。このような揺動機構を用いることで、接触面１００Ａ２での感光体移動方向下流側の端部が感光体２００に接触した時点に上流側の端部を感光体２００の表面に対して食い込み傾向とすることができる。クリーニングブレード１００を感光体２００から離す場合としては、感光体２００の挿脱作業時が相当しており、この場合には感光体２００の挿脱の邪魔にならないようにクリーニングブレード１００を離すことが行われる。なお、図２０において符号５２０は記録媒体の分離爪であり、符号５３０は、回収されたトナーを搬送するスクリューオーガである。
【００９４】
本実施例においては、クリーニング装置５００に加えて、感光体２００およびこれの周囲に配置されている各装置を纏めて収納したプロセスカートリッジを用いることができる。  
図２１は、プロセスカートリッジの構成例を示しており、同図においてプロセスカートリッジＢ内には、図１８において示した書き込み装置５０２および転写装置５０４を除く各装置が纏めてハウジングの内部に収納されており、プロセスカートリッジＢは画像形成装置本体に対して着脱可能に設けられている。なお、図２１中、符号５０３Ａは現像スリーブを、符号５０３Ｂは搬送・攪拌用スクリューオーガをそれぞれ示している。
【００９５】
また、本実施例では、単一色を対象とした画像形成に限らず、複数色の画像を形成する場合に各色の画像を形成する作像部に前述した構成のクリーニング装置を用いることも可能である。  
図２２は、複数色の画像を形成可能な画像形成装置を示しており、同図に示す画像形成装置６００は、色毎の画像を形成する作像ステーションを、これら各作像ステーションで形成された画像が順次転写される中間転写ベルト６０１の展張方向に沿って並置して構成したタンデム方式の画像形成装置である。なお、便宜上、図２２においては、イエロー画像を形成するプロセスカートリッジＢを対象としてのみ、図２１に示した部材の符号の一部が示されている。
【００９６】
各作像ステーションには、図２１において説明したプロセスカートリッジＢが配置されており、この場合には、色分解の補色関係にあるイエロー、マゼンタ、シアンおよびブラックのトナーを用いた画像形成が可能な現像装置を装備したプロセスカートリッジ（便宜上、感光体内に色の種類を示す符号Ｙ、Ｍ、Ｃ、Ｋを付ける）が並置されている。この画像形成装置では、各作像ステーションで形成された画像が中間転写ベルト６０１に順次転写されて重畳画像が形成され、その重畳画像が２次転写手段としての転写ローラ６０２を介して記録媒体Ｐに対して一括転写される。中間転写ベルト６０１への転写が終了した作像ステーションでは感光体がクリーニング装置により転写残トナーを除去される。  
なお、上述した感光体としては、ドラム状に限らずベルト状を対象とすることも可能である。
【００９７】
次に、上述した実施例に用いた部材の具体例について説明する。  
（１）具体例１
（１−１）トナーの作製
トナー組成物である樹脂や着色剤などを混合攪拌した後に、溶融混練し、次いで、溶融混練された前記構成材料を粉砕・分級してトナー材料を得た。得られた該トナー材料を熱気流中で結着樹脂の軟化点転以上の温度に加熱することにより球形化処理を施し、更に、球形処理を施されたトナー材料を分級してトナー粒子を作製した。  
得られたトナー粒子の体積平均粒径は、５．０（μｍ）、形状係数は、１．１６０であった。
【００９８】
前記トナー粒子に対して、疎水化処理したシリカ(一次粒子径平均値２５ｎｍ)を、トナー量の１．０重量％、疎水化処理した酸化チタン(一次粒子径平均値１５ｎｍ)を、トナー量の１．０重量％となるように配合し、ヘンシェルミキサーによって攪拌混合処理して、実施例１の現像剤であるトナーを作製した。
【００９９】
得られた前記実施例１のトナーは、トナー表面の電子顕微鏡画像を画像解析することによって計測される外添剤被覆率が、４０％であった。
（１−２）クリーニングブレードの作製
矩形板状のポリウレタンゴムの感光体と当接する端面の肩部角に相当するエッジ部を、クリーニングブレードの先端側が、該クリーニングブレード対向面と当接面とのなす角αが１６０°で傾斜した平面となるように切断することにより、感光体表面への接触面を有するクリーニングブレードを作製した。
【０１００】
前記クリーニングブレードの物性としては、以下に示すとおりであった。  
ゴム硬度（ＪＩＳ  Ｋ６３０１  Ａ）：７５度
２３℃の反発弾性率（ＪＩＳ Ｋ６２５５）：４０％
（１−３）クリーニング不良の評価
このクリーニングブレードを、クリーニングブレードの感光体への当接角度θが２０°となるように、リコー製複写機Ｉｍａｇｉｏ  ＭＦ３５５０に装着し、また、トナーとして前記作製方式により得られたトナーを使用して、以下の評価を行った。
【０１０１】
即ち、前記複写機を用いて、記録紙１００枚に所定の画像を複写した後に、該複写機の感光体を取り出してクリーニング後の「クリーニング残トナーＩＤ」を調べ、クリーニング不良の評価を行った。  
「クリーニング残トナーＩＤ」の測定方法としては、感光体上のクリーニング残トナーを透明テープ（日東電工製プリンタック）によって転写し、その画像濃度（Ｉｍａｇｅ  Ｄｅｎｓｉｔｙ）を画像濃度計（Ｘ−Ｒｉｔｅ９３８）により測定して「残トナーＩＤ」とするとともに、感光体上にトナーが存在しない場合の前記透明テープの前記画像濃度を測定して「リファレンスＩＤ」とし、前記「残トナーＩＤ」から「リファレンスＩＤ」を差し引くことで、クリーニング残トナーＩＤを測定した。結果を後程挙げる表1に示した。
（２）具体例２
（２−１）クリーニングブレードの作製
クリーニングブレードの感光体への接触面に、深さの平均が２．５μｍ、開口径の平均が６．０μｍの微細穴を多数形成したこと以外は、実施例１と同様にして実施例２のクリーニングブレードを作製した。
（２−２）クリーニング不良の評価
（２−１）で得られたクリーニングブレードを、該クリーニングブレードの感光体への当接角度θが２０°となるように、リコー製複写機Ｉｍａｇｉｏ  ＭＦ３５５０に装着し、また、トナーとして（１−１）で得られたものと同様のトナーを使用して、（２−１）のクリーニングブレードについて、具体例１と同様にして、クリーニング不良の評価を行った。結果を後程挙げる表1に示した。
（３）具体例３
（３−１）クリーニングブレードの作製
クリーニングブレードの感光体への接触面に、凸部の深さの平均が２．５μｍ、凸部の間隔の平均が６．０μｍの微細凹凸を多数形成したこと以外は、具体例１と同様にしてクリーニングブレードを作製した。
（３−２）クリーニング不良の評価
（３−１）により得られたクリーニングブレードを、該クリーニングブレードの感光体への当接角度θが２０°となるように、リコー製複写機Ｉｍａｇｉｏ  ＭＦ３５５０に装着し、また、トナーとして（１−１）と同様のトナーを使用して、（３−１）で得られたクリーニングブレードについて、具体例１と同様にして、クリーニング不良の評価を行った。結果を後程挙げる表1に示した。
（４）具体例４
（４−１）クリーニングブレードの作製
クリーニングブレードの感光体への接触面に、感光体の移動方向と垂直な方向（前記クリーニングブレードの幅方向に沿う方向）に、条溝の深さが２．５μｍ、条溝の開口幅が６．０μｍ、条溝と条溝との間隔が６．０μｍである線条溝を多数形成したこと以外は、具体例１と同様にしてクリーニングブレードを作製した。
（４−２）クリーニング不良の評価
前記のクリーニングブレードを、該クリーニングブレードの感光体への当接角度θが２０°となるように、リコー製複写機Ｉｍａｇｉｏ  ＭＦ３５５０に装着し、また、トナーとして（１−１）と同様のトナーを使用して、本具体例４のクリーニングブレードについて、具体例１と同様にして、クリーニング不良の評価を行った。結果を後程挙げる表1に示した。
（５）具体例５
（５−１）クリーニングブレードの作製
クリーニングブレードの感光体への接触面に、感光体の移動方向と垂直な方向（前記クリーニングブレードの幅方向に沿う方向）に対して、５度の角度をもって傾斜する条溝であって、条溝の深さが２０．０μｍ、条溝の開口幅が１５．０μｍ、条溝と条溝との間隔が１０．０μｍである線条溝を多数形成したこと以外は、具体例１と同様にしてクリーニングブレードを作製した。
（５−２）クリーニング不良の評価
クリーニングブレードを、該クリーニングブレードの感光体への当接角度θが２０°となるように、リコー製複写機Ｉｍａｇｉｏ  ＭＦ３５５０に装着し、また、トナーとして（１−１）と同様のトナーを使用して、本具体例５のクリーニングブレードについて、具体例１と同様にして、クリーニング不良の評価を行った。結果を後程挙げる表1に示した。
（６）具体例６
（６−１）
画像形成装置として、具体例１と同様のリコー製複写機において、感光体表面に、潤滑剤を付与する潤滑材付与手段を設け、該潤滑材付与手段が、潤滑剤を固形化した潤滑剤ブロックを、スプリングによる押し付け力を利用して、感光体表面に加圧当接するよう構成されている。そして、前記潤滑剤ブロックによって、潤滑材が回転駆動される感光体の表面に微量ずつ塗布される。  
前記潤滑剤としては、ステアリン酸亜鉛を使用した。  
また、前記潤滑材付与手段は、潤滑剤ブロックの感光体表面への押しつけ力が可変とされ、潤滑剤を感光体表面に押しつける圧力を変化させることで、潤滑剤の塗布量を調整して、前記感光体の表面における水との接触角が、９２°以上となるように保たれている。
（６−２）クリーニング不良の評価
具体例１と同様のクリーニングブレードを、該クリーニングブレードの感光体への当接角度θが２０°となるように、（６−１）に挙げた画像形成装置に装着し、また、トナーとして（１−１）と同様のトナーを使用して、クリーニングブレード及び画像形成装置について、具体例１と同様にして、クリーニング不良の評価を行った。結果を後程挙げる表1に示した。
（７）具体例７
（７−１）クリーニングブレードの作製
矩形板状のポリウレタンゴムの感光体と当接するエッジ部を、クリーニングブレードの先端側が、該クリーニングブレード対向面と当接面とのなす角αが１５０°で傾斜した平面となるように切断することにより、感光体への接触面を有するクリーニングブレードを作製し、該クリーニングブレードの感光体への接触面に、深さの平均が２．５μｍ、開口径の平均が６．０μｍの微細穴を多数形成したこと以外は、実施例１と同様にして実施例７のクリーニングブレードを作製した。
（７−２）クリーニング不良の評価
（７−１）によるクリーニングブレードを、該クリーニングブレードの感光体への当接角度θが３０°となるように、リコー製複写機Ｉｍａｇｉｏ  ＭＦ３５５０に装着し、また、トナーとして（１−１）と同様のトナーを使用して、クリーニングブレードについて、具体例１と同様にして、クリーニング不良の評価を行った。結果を後程挙げる表1に示した。
（８）具体例８
（８−１）トナーの作製
トナー組成物である樹脂や着色剤などを混合攪拌した後に、溶融混練し、次いで、溶融混練された前記構成材料を粉砕・分級してトナー材料を得た。  
得られた該トナー材料を熱気流中で結着樹脂の軟化点転以上の温度に加熱することにより球形化処理を施し、更に、球形処理を施されたトナー材料を分級してトナー粒子を作製した。  
得られたトナー粒子の体積平均粒径は、５．０（μｍ）、形状係数は、１．３５０であった。  
得られた、前記トナー粒子に対して、実施例１と同様にして、実施例８の現像剤であるトナーを作製した。
（８−２）クリーニング不良の評価
前記具体例１と同様のクリーニングブレードを使用し、該クリーニングブレードの感光体への当接角度θが２０°となるように、リコー製複写機Ｉｍａｇｉｏ  ＭＦ３５５０に装着し、また、トナーとして（８−１）によるトナーを使用して、クリーニングブレードについて、具体例１と同様にして、クリーニング不良の評価を行った。結果を後程挙げる表1に示した。
（９）具体例９
（９−１）クリーニングブレードの作製
矩形板状のポリウレタンゴムの感光体と当接するエッジ部を、クリーニングブレードの先端側が、該クリーニングブレード対向面と当接面とのなす角αが１６５°で傾斜した平面となるように切断することにより、感光体への接触面を有するクリーニングブレードを作製したこと以外は、具体例１と同様にしてクリーニングブレードを作製した。
（９−２）クリーニング不良の評価
（９−１）によるクリーニングブレードを、該クリーニングブレードの感光体への当接角度θが２０°となるように、リコー製複写機Ｉｍａｇｉｏ  ＭＦ３５５０に装着し、また、トナーとして（１−１）のトナーを使用して、クリーニングブレードについて、具体例１と同様にして、クリーニング不良の評価を行った。結果を後程挙げる表1に示した。
（１０）比較例１
（１０−１）クリーニングブレードの作製
矩形板状のポリウレタンゴムよりなり、感光体と当接するエッジ部を切断せず、断面形状を直方体形状としたこと以外は、具体例１と同様にしてクリーニングブレードを作製した。
（１０−２）クリーニング不良の評価
（１０−１）によるクリーニングブレードを、該クリーニングブレードの感光体への当接角度θが２０°となるように、リコー製複写機Ｉｍａｇｉｏ  ＭＦ３５５０に装着し、また、トナーとして（１−１）と同様のトナーを使用して、本比較例１でのクリーニングブレードについて、具体例１と同様にして、クリーニング不良の評価を行った。結果を後程挙げる表1に示した。
（１１）比較例２
（１１−１）クリーニング不良の評価
前記比較例１と同様のクリーニングブレードを使用し、該クリーニングブレードの感光体への当接角度θが３０°となるように、リコー製複写機Ｉｍａｇｉｏ  ＭＦ３５５０に装着し、また、トナーとして前記具体例１と同様のトナーを使用して、本比較例２のクリーニングブレードについて、具体例１と同様にして、クリーニング不良の評価を行った。結果を表1に示した。
【０１０２】
【表１】
2006337588.tif 000003
【０１０３】
表1の結果から、具体例１〜９のクリーニングブレード、及び該クリーニングブレードを用いた画像形成装置は、小粒径化、球形化されたトナーであっても、クリ−ニング時のトナーのすり抜けによるクリーニング不良を防止でき、感光体表面に残留する転写残トナーを確実に除去して、クリーニング不良による画像不良の発生を防止して、安定して良好な画像が得られることが判る。
【０１０４】
一方、比較例１のクリーニングブレード及び該クリーニングブレードを用いた画像形成装置は、クリーニング残トナーＩＤの値が高く、感光体の表面から確実に転写残トナーを除去することができないことが判る。
【０１０５】
また、比較例２のクリーニングブレード及び該クリーニングブレードを用いた画像形成装置は、評価中にクリーニングブレード先端部が異音を発し大きくめくれあがり、最終的にはクリーニングブレード全体が折れ曲がり変形してしまったため、途中で評価を停止した。
【図面の簡単な説明】
【０１０６】
【図１】本発明実施例によるクリーニング装置に用いられるクリーニングブレードの構成を説明するための図であり、（Ａ）、（Ｂ）はブレード本体の厚さ方向両面が支持されている状態を、（Ｃ）はブレード本体の厚さ方向片面が支持されている状態を示している。
【図２】図１に示したブレード本体の感光体に対する設置状態を説明するための図である。
【図３】図１に示したブレード本体の感光体に対する設置状態の他の例を説明するための図である。
【図４】図１に示したブレード本体の端面形状の一つを示す図である。
【図５】図１に示したブレード本体の接触面の形態の一例を示す図である。
【図６】図１に示したブレード本体の接触面の形態の他の例を示す図である。
【図７】図６に示したブレード本体の断面図である。
【図８】図１に示したブレード本体の接触面の形態の別の例を示す図である。
【図９】図８において符号（９）で示す部分の拡大断面図である。
【図１０】図１に示したブレード本体の接触面の形態のさらに他の例を示す図である。
【図１１】図１０中、符号（１１）で示す方向の断面図である。
【図１２】図１０に示した接触面の形態の要部変形例を示す図である。
【図１３】図１０に示した接触面に設けられている線状溝の変形例を示す図樽。
【図１４】図１３に示した線状溝による作用を説明するための図である。
【図１５】図１３に示した線状溝の変形例を示す図である。
【図１６】ブレード本体の接触面の形成方法を説明するための図である。
【図１７】ブレード本体の作製方法の他の例を説明するための図である。
【図１８】本実施例によるクリーニング装置が適用される画像形成装置の一例を示す図である。
【図１９】クリーニング装置におけるクリーニングブレードの支持構造に関する一例を示す図である。
【図２０】クリーニング装置におけるクリーニングブレードの支持構造に関する他の例を示す図である。
【図２１】画像形成装置に用いられるプロセスカートリッジを説明するための図である。
【図２２】画像形成装置の他の例を示す図である。
【符号の説明】
【０１０７】
１００  クリーニングブレード
１００Ａ  ブレード本体
１００Ａ２  接触面
２００  感光体
５００  画像形成装置
５０５  クリーニング装置
α  ブレード本体における接触面およびこれに連続して感光体との対向面とで      なす角度
θ  感光体に対するクリーニングブレードの当接角
【図１】
2006337588.tif 000004
【図２】
2006337588.tif 000005
【図３】
2006337588.tif 000006
【図４】
2006337588.tif 000007
【図５】
2006337588.tif 000008
【図６】
2006337588.tif 000009
【図７】
2006337588.tif 000010
【図８】
2006337588.tif 000011
【図９】
2006337588.tif 000012
【図１０】
2006337588.tif 000013
【図１１】
2006337588.tif 000014
【図１２】
2006337588.tif 000015
【図１３】
2006337588.tif 000016
【図１４】
2006337588.tif 000017
【図１５】
2006337588.tif 000018
【図１６】
2006337588.tif 000019
【図１７】
2006337588.tif 000020
【図１８】
2006337588.tif 000021
【図１９】
2006337588.tif 000022
【図２０】
2006337588.tif 000023
【図２１】
2006337588.tif 000024
【図２２】
2006337588.tif 000025